(57)【特許請求の範囲】
【請求項１】
デジタル放送の番組情報信号を編成時刻に基づいて送出するデジタル放送番組送出システムにおいて、
複数の番組情報信号のうちいずれか１つを選択的に出力する番組情報出力切替部と、
この番組情報出力切替部から出力される前記番組情報信号を符号化する符号化部と、
この符号化部で符号化された符号化信号を他の信号と多重する多重化部と、
この多重化部で生成された多重化信号を前記デジタル放送信号に変調して送出する変調部と、
前記番組情報信号を編成時刻に正しく送出するための編成制御信号を発生する操作部と、
リアルタイム性が要求される第１の信号を転送するために使用される第１のネットワークを介して前記操作部と接続され、前記番組情報出力切替部に対し、前記操作部から与えられた編成制御信号に基づいて番組情報切替処理を制御する第１の番組情報送出制御部と、
前記第１の信号に比べてリアルタイム性が要求されない第２の信号を転送するために使用される第２のネットワークを介して前記第１の番組情報送出制御部と接続され、前記第１の番組情報送出制御部から与えられた編成制御信号に基づいて前記符号化部の符号化処理及び前記多重化部の多重化処理を制御する第２の番組情報送出制御部と、
前記第１のネットワークと前記第２の番組情報送出制御部との間を前記第２のネットワークを介して接続し、前記第１の信号から前記第２の信号への変換及びその逆変換を行なう機能を有するネットワーク間接続部とを具備し、
前記第１の番組情報送出制御部は、前記操作部から与えられ編成時刻通りに放送される予定の番組情報内容に関する編成制御信号を前記第２のネットワークを介して前記第２の番組情報送出制御部へ事前に転送しておき、前記操作部から番組情報内容の変更要求または番組情報内容に関する割り込み要求を受信した時に、変更時もしくは割り込み時の番組情報内容に関する編成制御信号を前記第１のネットワーク、前記ネットワーク間接続部及び前記第２のネットワーク経由で前記第２の番組情報送出制御部へ転送することを特徴とするデジタル放送番組送出システム。
【発明の詳細な説明】
【０００１】
【発明の属する技術分野】
この発明は、デジタル放送システムにおいて、デジタル放送の番組情報信号を編成時刻に基づいて送出するデジタル放送番組送出システムに関する。
【０００２】
【従来の技術】
従来より実施されているアナログ放送においては、放送局で図５に示すような番組送出システムが使用されている。
【０００３】
図５において、符号１１はスイッチャーで、自動番組送出制御部（以下、ＡＰＣと称する）１２から与えられる切替指示により複数の番組情報信号から放送すべき任意の番組情報信号を選択的に導出するものである。ＡＰＣ１２は、スイッチャー１１に対し、データサーバ１３から与えられる編成制御データに従って任意の入力系統と出力系統とを接続させる。
【０００４】
ところで、近年では衛星デジタル放送、地上波デジタル放送の実用化が進められており、これらのデジタル放送においては、ＭＰＥＧ２（Moving Picture Coding Experts Group 2）符号化方式による映像信号の符号化、同期化、多重化などの信号処理を施すスタジオ機器が必要不可欠となる。
【０００５】
そこで、デジタル放送では、放送局に図６に示すようなデジタル放送番組送出システムを使用することが考えられている。
【０００６】
すなわち、デジタル放送番組送出システムは、デジタル放送信号として放送すべき番組情報信号の伝送系統として、スイッチャー２１と、このスイッチャー２１から出力される番組情報信号をエンコードするエンコーダ（以下、ＥＮＣと称する）２２と、このＥＮＣ２２でエンコードされた符号化信号を他の符号化信号と多重するマルチプレクサ（以下、ＭＵＸと称する）２３と、このＭＵＸ２３で生成された多重化信号をデジタル放送信号に変調して送出する変調器２４とを備えている。
【０００７】
また、制御系統として、提供される編成制御データに基づいて、スイッチャー２１に対して番組情報切替を行なうＡＰＣ２５と、提供される編成制御データに基づいてＥＮＣ２２のエンコード処理及びＭＵＸ２３の多重化処理を制御する符号化多重制御部（以下、ＥＭＣと称する）２６とを備えている。
【０００８】
ところで、上記デジタル放送番組送出システムでは、番組情報信号が編成時刻に正しく送出されるように、ＡＰＣ２５による番組情報信号の送出制御処理とＥＭＣ２６による番組情報信号の送出制御処理とをリアルタイムで行なう必要がある。このため、従来では、ＡＰＣ２５とＥＭＣ２６との間をイーサネット２７で接続し、ＡＰＣ２５から制御時間及び制御内容を含む編成制御データをイーサネット２７を介してＥＭＣ２６に事前に渡し、ＥＭＣ２６内で編成時刻にＥＮＣ２２及びＭＵＸ２３を制御できるようにした対策が採られている。
【０００９】
しかし、スイッチャー２１側による番組情報信号の放送時間の変更や番組内容の変更、ＴＡＫＥ等の手動割り込み等の突如の出来事が生じると、ＥＭＣ２６では、スイッチャー２１側による番組情報信号の放送時間の変更やＴＡＫＥ等の手動割り込みに対応することが困難である。
【００１０】
これを解決するためには、ＡＰＣ２５のプロセッサを編成制御データの転送速度の高速化を図ったプロセッサに設計変更しなくてはならず、コストも大幅に増大してしまうことになる。
【００１１】
【発明が解決しようとする課題】
以上のように従来考えられているデジタル放送番組送出システムでは、スイッチャー側による番組情報信号の放送時間の変更やＴＡＫＥ等の手動割り込みがあった場合に、ＥＭＣではこれに対応した制御処理をリアルタイムで行なうことが困難であるという問題を有している。
【００１２】
そこで、この発明の目的は、放送すべき番組情報信号の放送時間の変更、番組情報信号の割り込みに応じて番組情報信号の送出制御をリアルタイムで行ない得るデジタル放送番組送出システムを提供することにある。
【００１３】
【課題を解決するための手段】
この発明に係るデジタル放送番組送出システムは、デジタル放送の番組情報信号を編成時刻に基づいて送出するデジタル放送番組送出システムにおいて、デジタル放送信号として送信すべき番組情報信号を順次処理する複数の番組情報処理部と、これら複数の番組情報処理部のうち最前段の番組情報処理部に対し、与えられた編成制御信号に基づいて番組情報信号の処理を制御する第１の番組情報送出制御部と、最前段以外の番組情報処理部の少なくとも一部に対し、与えられた編成制御信号に基づいて番組情報信号の処理を制御する第２の番組情報送出制御部と、第１の番組情報送出制御部を接続し、リアルタイム性が要求される第１の信号を転送するために使用される第１のネットワークと、この第１のネットワークとは独立して第１の番組情報送出制御部と第２の番組情報送出制御部との間を接続し、第１の信号に比べてリアルタイム性が要求されない第２の信号を転送するために使用される第２のネットワークと、この第１のネットワークと第２の番組情報送出制御部との間を直接接続し、第１の信号から第２の信号への変換及びその逆変換を行なう機能を有するネットワーク間接続部とを具備し、第１の番組情報送出制御部は、第２の番組情報送出制御部に対し別途提供された編成制御信号の転送を、第１のネットワーク及びネットワーク間接続部、もしくは第２のネットワークを介して選択的に行なうようにしたものである。
【００１４】
なお、第１の番組情報送出制御部から第２の番組情報送出制御部へ第２のネットワークを介して転送される編成制御信号は編成時刻通りに放送される予定の少なくとも一部の番組情報内容に関する情報信号であり、第１のネットワーク及びネットワーク間接続部を介して転送される編成制御信号は変更時もしくは割り込み時の番組情報内容に関する情報信号である。
【００１５】
この構成によれば、第１の番組情報送出制御部から第２の番組情報送出制御部へ編成時刻通りに放送される予定の番組情報内容に関する情報信号が第２のネットワークを介して事前に転送され、放送時間の変更時もしくは割り込み時には、第１の番組情報送出制御部から第２の番組情報送出制御部へ変更時もしくは割り込み時の番組情報内容に関する情報信号が第１のネットワーク及びネットワーク間接続部を介して転送され、第２の番組情報送出制御部はネットワーク間接続部で第２のネットワーク転送用に変換された変更時もしくは割り込み時の番組情報内容に関する編成制御信号に基づいて変更もしくは割り込みの旨を即座に把握でき、この把握結果に基づいて番組情報処理部、つまり符号化部及び多重化部に対しリアルタイムで番組情報信号の送出制御を行なえるようになる。すなわち、変更時もしくは割り込み時の番組情報内容に関する編成制御信号は放送予定の番組情報内容に関する編成制御信号等のリアルタイム性に余裕がある信号とは別に専用のネットワークで転送され、また、リアルタイム性が要求される編成制御信号を第２の番組情報送出制御部に転送するために、第１の番組情報送出制御部が実行すべきデータ転送の高速化を第１のネットワーク及びネットワーク間接続部に代用させることで達成される。
【００１６】
このため、通常の編成制御信号等のデータ量の多い信号の転送処理や変更時もしくは割り込み時の編成制御信号等のリアルタイム性が要求される信号の転送処理にも十分に対応でき、かつデータ転送の高速化に伴う処理を第１の番組情報送出制御部、第１のネットワーク及びネットワーク間接続部にそれぞれ分担させることができることにより、第１の番組情報送出制御部で担うべき処理に要する時間を短縮でき、放送すべき番組情報信号に対する変更処理もしくは割り込み処理のリアルタイム性を高めることができる。
【００１７】
【発明の実施の形態】
以下、この発明の実施形態について図面を参照して詳細に説明する。
図１は、この発明に係わるデジタル放送番組送出システムの一実施形態を示す概略構成図である。
図１におけるデジタル放送番組送出システムは、デジタル放送信号として放送すべき番組情報信号の伝送系統として、与えられた切替指示に従って複数の番組情報信号のうちいずれか１つを選択的に出力するスイッチャー１０１と、このスイッチャー１０１から出力される番組情報信号をエンコードするＥＮＣ１０２と、このＥＮＣ１０２でエンコードされた符号化信号を他の番組情報信号と多重するＭＵＸ１０３と、このＭＵＸ１０３で生成された多重化信号を受信機に送出すべくデジタル放送信号に変調する変調器１０４とを備えている。なお、スイッチャー１０１に入力される番組情報信号としては、各々異なる編集室で編集されたＨＤＴＶ(High Definition TV)信号、ＳＤＴＶ(Standard Definition TV)信号等が挙げられる。
【００１８】
また、制御系統として、番組情報信号を編成時刻に正しく送出するために必要な編成制御信号を発生するサブスタジオノード１０５及びＡＰＣ操作ノード１０６と、これらサブスタジオノード１０５及びＡＰＣ操作ノード１０６から与えられる編成制御信号に基づいてスイッチャー１０１に対して番組情報切替処理を制御するＡＰＣ１０７と、ＡＰＣ１０７からイーサネット１０８を介して与えられる編成制御信号に基づいてＥＮＣ１０２のエンコード処理及びＭＵＸ１０３の多重化処理を制御するＥＭＣ１０９とを備えている。
【００１９】
上記ＡＰＣ１０７は、スイッチャー１０１に対し、サブスタジオノード１０５及びＡＰＣ操作ノード１０６からの編成制御信号に従って任意の入出力系統を接続させる。このとき、出力系統に接続される入力系統を切り替える場合には、切替元の番組情報信号の信号位相と切替先の番組情報信号の信号位相を判別し、この判別結果に基づいて各番組情報信号のスイッチャー１０１への入力タイミングを合わせた上でスイッチャー１０１の切替制御を行なう。
【００２０】
また、上記ＥＭＣ１０９は、ＭＵＸ１０３に対し、ＡＰＣ１０７からの編成制御信号に従って任意の複数の入力系統の番組情報信号を多重させる。このとき、ＭＵＸ１０３の入力側にＥＮＣ１０２が接続されているか否かを判別し、ＥＮＣ１０２が接続されているとき、編成制御信号からＥＮＣ１０２に指定する符号化パラメータを解析し、この解析結果に基づいてＥＮＣ１０２の符号化ビットレート及びＧＯＰ（グループ・オブ・ピクチャー）パターン等のパラメータを設定する。
【００２１】
ところで、この実施形態では、番組情報信号に対する割り込み処理をリアルタイムに行なう手段として、イーサネット１０８の他にＳＥＣＮＥＴ（スタジオ・イクイプメント・コントロール・ネットワーク）１１０というリアルタイム性の要求される信号を転送するためのネットワークを備え、これらイーサネット１０８及びＳＥＣＮＥＴ１１０を介してＡＰＣ１０７とＥＭＣ１０９との間を接続している。なお、ＳＥＣＮＥＴ１１０とＥＭＣ１０９との間には、ＥＭＣゲートウェイ１１１が介在される。このＥＭＣゲートウェイ１１１は、ＳＥＣＮＥＴ転送用の信号からイーサネット転送用の信号への変換及びその逆変換を行なう機能を有している。
【００２２】
また、ＳＥＣＮＥＴ１１０には、サブスタジオノード１０５、ＡＰＣ操作ノード１０６及びスイッチャー１０１が接続されている。
【００２３】
ＡＰＣ１０７は、ＳＣＰ（スケジューリング・アンド・コントロール・プロセッサ）１０７１とＲＴＰ（リアルタイムプロセッサ）１０７２とを備えている。ＳＣＰ１０７１はイーサネット１０８との間の通信機能を有し、ＲＴＰ１０７２はＳＥＣＮＥＴ１１０との間の通信機能を有している。また、ＲＴＰ１０７２は、ＳＣＰ１０７１からのＣＤＴ（コントロール・データ・テーブル）を基に、該当時間に該当する制御信号をＳＥＣＮＥＴ１１０上に出力している。なお、ＣＤＴには制御時間と制御内容が記述されている。
【００２４】
次に、上記構成におけるＥＭＣ１０９に対する番組情報信号の送出制御動作について説明する。図２は通常時と割り込み時とにおける番組情報信号の送出制御動作手順を示すタイムチャートであり、図３はその際のＡＰＣ１０７とＥＭＣ１０９との間のデータ転送手順を示すシーケンス図であり、図４はその際のＡＰＣ１０７における動作手順及び内容を示すフローチャートである。
【００２５】
まず、ＡＰＣ１０７のＲＴＰ１０７２は、ＮＥＸＴアンタイムの時、サブスタジオノード１０５もしくはＡＰＣ操作ノード１０６からＴＡＫＥ割り込みを受けると、ＣＤＴ内のＮＥＸＴイベントレコードを受け付けた時間で確定化し、図２（ａ）に示すようなＮＥＸＴレコードを見つけ、そのアンタイム時刻を割り込みを受け付けた時間で確定化し、図２（ｂ）に示すようにＮＥＸＴレコードのイベントの制御時刻を全て書き替える。なお、図２（ａ），（ｂ）において、Ｖ１は１つの番組を示しており、Ｌ１はＶ１の次に放送される番組を示している。
【００２６】
制御時刻を全て書き替えた後、ＲＴＰ１０７２は、図３に示す如く割り込みによるイベントのＯＡ時刻をＴＡＫＥ要求としてＥＭＣゲートウェイ１１１に送出する。ＥＭＣゲートウェイ１１１は、ＳＥＣＮＥＴ１１０からＴＡＫＥ要求を受けると、ＲＴＰ１０７２に対しＡＣＫ（応答）データを返送するとともに、ＴＡＫＥ要求受信から３秒後にＥＭＣ１０９に対しＯＡ時刻通知を行なうことにより、ＥＭＣ１０９への制御を行なえるようにしている。この場合、ＥＭＣゲートウェイ１１１は、ＳＥＣＮＥＴ１１０を介して転送されたＴＡＫＥ要求をイーサネットパケット、つまりＥＭＣ制御コマンドに変換して、ＴＣＰ／ＩＰ経由でＥＭＣ１０９に転送するようにしている。
【００２７】
以後、ＥＭＣ１０９は、ＥＭＣゲートウェイ１１１に対しＡＣＫデータを返送するとともに、ＥＮＣ１０２及びＭＵＸ１０３に対し通知された時刻で制御を行なう。
【００２８】
次に、ＡＰＣ１０７がＥＭＣゲートウェイ１１１に対しＴＡＫＥ要求を送出するまでのＡＰＣ１０７の詳細な動作について図４を参照して説明する。
【００２９】
すなわち、ＲＴＰ１０７２は、サブスタジオノード１０５もしくはＡＰＣ操作ノード１０６からＳＥＣＮＥＴ１１０を介してＴＡＫＥ要求を受信すると（ステップ４ａ）、ＳＣＰ１０７１のＣＤＴを参照し（ステップ４ｂ）、この参照結果に基づきＴＡＫＥできるか否かの論理判断を行なう（ステップ４ｃ）。ここで、ＴＡＫＥ可能であると判断された場合に（ＹＥＳ）、ＲＴＰ１０７２はエンコーダ制御ＴＡＫＥ要求とＰＳＩ／ＳＩ制御ＴＡＫＥ要求とにコマンドを展開し（ステップ４ｄ）、ＥＭＣゲートウェイ１１１に対して送信する（ステップ４ｅ）。
【００３０】
なお、上記ステップ４ｃにおいて、ＴＡＫＥ可能でないと判断された場合（ＮＯ）、ＣＤＴ内のＮＥＸＴレコードの内容をそのまま維持する。
【００３１】
以上のように上記実施形態によれば、ＡＰＣ１０７からＥＭＣ１０９へ編成時刻通りに放送される予定の番組情報内容に関する情報信号がイーサネット１０８を介して事前に転送され、ＴＡＫＥ等の割り込み時には、ＡＰＣ１０７からＥＭＣ１０９へ割り込み時の番組情報内容に関するＴＡＫＥ要求がＳＥＣＮＥＴ１１０及びＥＭＣゲートウェイ１１１を介して転送される。そして、ＥＭＣ１０９は、ＥＭＣゲートウェイ１１１でイーサネットパケットに変換された割り込み時の番組情報内容に関するＥＭＣ制御コマンドに基づいて割り込みの旨を即座に把握でき、この把握結果に基づいてＥＮＣ１０２及びＭＵＸ１０３に対しリアルタイムで番組情報信号の送出制御を行なえるようになる。
【００３２】
すなわち、割り込み時の番組情報内容に関する編成制御信号つまりＴＡＫＥ要求は放送予定の番組情報内容に関する編成制御信号等のリアルタイム性に余裕がある信号とは別に専用のＳＥＣＮＥＴ１１０で転送され、また、リアルタイム性が要求されるＴＡＫＥ要求をＥＭＣ１０９に転送するために、ＡＰＣ１０７が実行すべきデータ転送の高速化をＳＥＣＮＥＴ１１０及びＥＭＣゲートウェイ１１１に代用させることで達成される。
【００３３】
このため、通常の編成制御信号等のデータ量の多い信号の転送処理や割り込み時のＴＡＫＥ要求等のリアルタイム性が要求される信号の転送処理にも十分に対応でき、かつデータ転送の高速化に伴う処理をＡＰＣ１０７、ＳＥＣＮＥＴ１１０及びＥＭＣゲートウェイ１１１にそれぞれ分担させることができることにより、本来ＡＰＣ１０７で担うべき処理に要する時間を大幅に短縮でき、放送すべき番組情報信号に対する割り込み処理のリアルタイム性を高めることができる。
【００３４】
なお、上記実施形態では、ＴＡＫＥによる割り込み処理を対象に説明したが、スイッチャー１０１側で放送すべき番組情報信号の時間変更や内容変更が生じた場合にも適用可能である。また、上記実施形態では、番組情報処理部として、スイッチャー１０１から変調器１０４までの構成について説明したが、その他の番組情報処理部を適用するようにしてもよい。その他、システムの種類や構成、ＡＰＣ、ＥＭＣ及びＥＭＣゲートウェイの構成、ＴＡＫＥ要求の種類や転送手順等についても、この発明の要旨を逸脱しない範囲で種々変形して実施できる。
【００３５】
【発明の効果】
以上詳述したようにこの発明によれば、放送すべき番組情報信号の放送時間の変更、番組情報信号の割り込みに応じて番組情報信号の送出制御をリアルタイムで行ない得るデジタル放送番組送出システムを提供することができる。
【図面の簡単な説明】
【図１】この発明に係わるデジタル放送番組送出システムの一実施形態を示す概略構成図。
【図２】上記図１に示したシステムにおける通常時及び割り込み時の番組情報信号の送出制御動作手順を示すタイムチャート。
【図３】上記図１に示したシステムにおけるＡＰＣとＥＭＣとの間のデータ転送手順を示すシーケンス図。
【図４】上記図１に示したシステムのＡＰＣにおける動作手順及び内容を示すフローチャート。
【図５】従来のアナログ放送の番組送出システムを示す概略構成図。
【図６】従来考えられたデジタル放送の番組送出システムを示す概略構成図。
【符号の説明】
１１，２１，１０１…スイッチャー、
１２，２５，１０７…自動番組送出制御部（ＡＰＣ）、
１３…データサーバ、
２２，１０２…エンコーダ（ＥＮＣ）、
２３，１０３…マルチプレクサ（ＭＵＸ）、
２４，１０４…変調器、
２６，１０９…符号化多重制御部（ＥＭＣ）、
１０５…サブスタジオノード、
１０６…ＡＰＣ操作ノード、
１０８…イーサネット、
１１０…ＳＥＣＮＥＴ、
１１１…ＥＭＣゲートウェイ。
【図１】
0004309013.tif 000002
【図２】
0004309013.tif 000003
【図３】
0004309013.tif 000004
【図４】
0004309013.tif 000005
【図５】
0004309013.tif 000006
【図６】
0004309013.tif 000007